(57)【要約】【課題】犬の糞を、路上や公園などに排泄させることなく収容し、スマートに持ち帰ることができる上に、ワンタッチ操作で開閉可能であり、手を汚す心配もない容器を提供すること。【解決手段】ほぼ長方形の板状をした底部部材（１）と、ほぼ箱型の形状をした一対の側壁部材（２Ａ，２Ｂ）とからなる容器本体、底部部材と丁番（３）により連結され、容器本体の上縁に沿った形状で伸びるレバー（４）、レバーの先端にラチェット機構（５）を介して連結された半円環状のハンドル（６）を主要な構成部品とする。ハンドル前方の押しボタン（７）を押して、連結バー（８）を介してハンドルフック（６２）と容器フック（２２Ａ，２２Ｂ）との係合をはずし、ラチェット機構（５）を開放することにより、容器本体が開き、レバーおよびハンドルが伸びて、糞を受けることができる状態になる。【選択図】  図７
2005087086.tif 000002
【特許請求の範囲】
【請求項１】
ほぼ長方形の板状をした底部部材（１）と、その両側にヒンジ（１１）により連結され、ほぼ箱型の形状であって、一対の側壁部材（２Ａ，２Ｂ）とからなる容器本体、底部部材の後端に、その後端が丁番（３）により連結され、側壁部材が閉じて形成される容器本体の上縁に沿った形状で伸びるレバー（４）、およびレバーの先端にもうひとつの丁番（５）を介して連結され、下方に伸びるストッパーガイド（６１）をそなえた半円環状のハンドル（６）を主要な構成部品とし、ハンドルの前方には、スプリング（７１）で前方に付勢された押しボタン（７）があり、ハンドル内部には、押しボタンと連動して前後に移動する連結バー（８）が内蔵されており、連結バーの後方はハンドルフック（６２）に連なり、ハンドルをレバー上に位置させてストッパーガイドでストッパーを抑えて容器本体を閉じたとき、ハンドルフックはレバーを貫いて側壁部材のそれぞれの上縁から突出する容器フック（２２Ａ，２２Ｂ）と係合して、ハンドルおよびレバーを容器本体に固定する作用をするように構成したペットの排泄物を収容する容器。
【請求項２】
主要な構成部品がプラスチック成形品からなる請求項１の容器。
【請求項３】
プラスチックがポリオレフィンである請求項２の容器。
【請求項４】
一対の側壁部材の打ち合わせ面にパッキン（２３Ａ，２３Ｂ）を備え、容器本体を閉じたときにほぼ気密となる請求項１の容器。
【請求項５】
底部部材（１）と一対の側壁部材（２Ａ，２Ｂ）とを連結する位置に、側壁部材を開放する方向に付勢するバネ（１２）を設けて、ハンドルフック（６２）と容器フック（２２Ａ，２２Ｂ）との係合が外れたとき、側壁部材が開いて、底部部材とともに、ほぼ平面を形成するように構成した請求項１の容器。
【請求項６】
丁番（５）が、内部に歯車を備えたラチェット機構（５）を形成しており、前記の連結バー（８）の前方には、この歯車と係合するストッパーピン（５１）が設けてあり、押しボタンを押すことにより、ラチェット機構が外れて自由回転状態になるように構成した請求項１の容器。
【発明の詳細な説明】
【技術分野】
【０００１】
本発明は、犬や猫のようなペットの排泄物を収容する容器に関する。本発明の容器は、とくに、犬を散歩に連れて歩くときに、排泄した糞を持ち帰るのに好都合である。
【背景技術】
【０００２】
ペットの中でも普遍的な犬は、運動をさせないとストレスがたまるから、散歩に連れ出さなければならないが、このとき犬は糞をしたがる。そこでしかるべき愛犬家は、ビニル袋、新聞紙、小スコップなどを携えて歩き、犬が糞をしそうになったら、尻の下に紙を敷いてその上に排便させ、その紙で糞を包んで持ち帰るとか、犬が路上で糞をしたら、スコップで掬って紙に包んで持ち帰るとかの対策を講じている。専用の糞取り用具なども、いくつか考案されている。
【０００３】
しかし、上記のようなものを持ち歩くのはジャマであったり、スマートでないと感じられたりするので、必ずしも励行されず、あちこちで糞公害を引き起こしている。
【発明の開示】
【発明が解決しようとする課題】
【０００４】
本発明の目的は、上記のような問題を解消し、ペットの排泄物、代表的には犬の糞を、路上や公園などにさせることなく収容し、スマートに持ち帰ることができる上に、ワンタッチ操作で開閉可能であり、手を汚す心配もない容器を提供することにある。
【課題を解決するための手段】
【０００５】
上記の目的を達成する本発明のペットの排泄物を収容する容器は、好適な態様について、図１ないし図３に閉じた状態を示し、図４に内部構造を示し、図５および図６に開く途中の状態を示し、図７ないし図９に開いた状態を示すように、ほぼ長方形の板状をした底部部材（１）と、その両側にヒンジ（１１）により連結され、ほぼ箱型の形状であって、一対の側壁部材（２Ａ，２Ｂ）とからなる容器本体、底部部材の後端に、その後端が丁番（３）により連結され、側壁部材が閉じて形成される容器本体の上縁に沿った形状で伸びるレバー（４）、およびレバーの先端にもうひとつの丁番（５）を介して連結され、下方に伸びるストッパーガイド（６１）をそなえた半円環状のハンドル（６）を主要な構成部品とし、ハンドルの前方には、スプリング（７１）で前方に付勢された押しボタン（７）があり、ハンドル内部には、押しボタンと連動して前後に移動する連結バー（８）が内蔵されており、連結バーの後方はハンドルフック（６２）に連なり、ハンドルをレバー上に位置させてストッパーガイドでストッパーを抑えて容器本体を閉じたとき、ハンドルフックはレバーを貫いて側壁部材のそれぞれの上縁から突出する容器フック（２２Ａ，２２Ｂ）と係合して、ハンドルおよびレバーを容器本体に固定する作用をするように構成したペットの排泄物を収容する容器である。
【発明の効果】
【０００６】
本発明のペットの排泄物を収容する容器は、使用しないときはコンパクトに折り畳んで携帯することができ、ジャマではなく、持ち歩く姿がスマートである。使用に当たっては、ワンタッチで素早く展開することができるから、急に排泄しそうになっても間に合い、路上や草の上などに、糞をまき散らす心配がない。散歩の前に、容器内に水溶紙や水解紙をセットしておけば、糞を紙で包んだままトイレに捨てることができて、手を汚さないで済む。
【発明を実施するための最良の形態】
【０００７】
本発明の容器は、容器本体を形成する底部部材および一対の側壁部材をはじめとし、レバーおよびハンドルなど、主要な構成部品をプラスチックの成形品で製作することが好ましい。それにより、製作が容易であるだけでなく、軽量で、洗いやすい容器が得られる。プラスチックとしては、任意のものが選択できるが、用済み後に焼却処理することを考えると、ポリオレフィン、たとえばポリエチレンやポリプロピレンが好適である。塩素を含有するものは、焼却時にダイオキシンを発生するおそれがあるから、避けたい。成形は、射出成形が好ましいが、シート状材料の真空成形などの手段によることも可能である。
【０００８】
底部部材（１）と一対の側壁部材（２Ａ，２Ｂ）とを連結するヒンジ（１１）は、個々の部材を製作後に連結するように設けてもよいが、プラスチック材料の成形時にヒンジ構造となるようにすると、成形と同時に連結が行われて有利である。この観点からは、ポリプロピレンが最適なプラスチック材料ということになる。
【０００９】
底部部材（１）と一対の側壁部材（２Ａ，２Ｂ）とを連結する位置に、側壁部材を開放する方向に付勢するバネ（１２）を設けて、ハンドルフック（６２）と容器フック（２２Ａ，２２Ｂ）との係合が外れたとき、側壁部材が開いて、底部部材とともに、ほぼ平面を形成するように構成することも推奨される。それにより側壁部材が自動的に開くので、好都合である。バネは、ねじりバネ、平バネ、板バネなど、任意に選択できる。
【００１０】
上述のヒンジとバネとは、別々に用意して設けてもよいし、ヒンジとバネとが一体になったものを使用してもよい。最も簡単な構成は、上記のポリプロピレンを材料とする射出成形によりヒンジ構造を与え、かつ、底部部材と一対の側壁部材とが成形時にほぼ一平面を形成するように金型を設計しておくことによって得られる。通常はその形態が金型の設計にとっても、成形にとっても好都合である。この態様をえらべば、ヒンジ部分が成形時の形状に戻ろうとする傾向を利用して、やや弱いが、バネの作用をさせることができる。
【００１１】
一対の側壁部材（２Ａ，２Ｂ）の打ち合わせ面に、図７および図８に示したように、ゴムや柔軟なプラスチックのパッキン（２３Ａ，２３Ｂ）を備えることが推奨される。こうすると、容器本体を閉じたときにほぼ気密となるから、糞を収容して携えて歩いても、臭気が洩れるということがなくて好ましい。
【００１２】
丁番（５）の好ましい態様は、図４に詳細を示したように、内部に歯車を備えたラチェット機構（５）を形成したものである。この場合、前記の連結バー（８）の前方には、この歯車と係合するストッパーピン（５１）を設け、押しボタンを押すことにより、ラチェット機構が外れて自由回転状態になるように構成する。要するにこの丁番は、一つの方向には自由に回転することができ、反対の方向には、ピンを抜いたりする条件を加えた場合だけ回転することができるような機能をもたせれば、好都合なわけである。より簡単な構成としては、ワンウエイクラッチを用いてもよい。
【００１３】
以上の構造の説明から、本発明の容器の作用はほぼ理解されたと考えられるが、念のため説明を加えると、まず、この容器を携帯に適する形、すなわち閉じた状態にするには、一対の側壁部材（２Ａ，２Ｂ）をねじりバネ（１２）の力に逆らって向かい合わせ、容器本体を組み立てる。レバー（４）を容器本体の上にのせ、ハンドル（６）を折り返すと、打ち合わされた一対のストッパーを、ハンドルから下方に伸びるストッパーガイド（６１）が挟み、容器本体の閉鎖状態が保たれる。それと同時に、ハンドルフック（６２）と容器フック（２２Ａ，２２Ｂ）とがかみ合い、ハンドルがレバー上に固定される。
【００１４】
ハンドルフックと容器フックとのかみ合いは、連結バー（８）の前方への移動を可能にし、ストッパーピン（５１）がラチェット機構（５）を固定して回転できないようにし、レバーとハンドルとの関係を固定する。その状態は、押しボタン（７）を前方に向けて付勢しているスプリング（７１）によって維持される。
【００１５】
使用のためにこの容器を開くときは、上記の押しボタンを押す。すると、図５および図６に見るように、ハンドルフック（６２）と容器フック（２２Ａ，２２Ｂ）とのかみ合いがはずれると同時に、ストッパーピン（５１）がラチェット機構（５）の固定をはずし、回転を可能にする。その結果、ハンドル（６）からレバー（４）がぶら下がり、その後端の丁番（３）で連なる底部部材（１）もレバーからぶら下がる。このとき、レバーと底部部材とがなす角度は、レバーの端に設けたストッパー（４１）によって規定される。この過程において、一対の側壁部材（２Ａ，２Ｂ）は、ねじりバネ（１２）の力により、左右に開く。開ききった最終的な状態は、図８および図９に示すとおりである。
【００１６】
使用時、つまりペットに糞をさせるときは、排便する犬の尻の下に開いた容器を置くことにより、糞を収容することができる。このとき、図９に示したように紙（９）を敷いておけば、その紙の上に糞を受け、糞を紙で包んで捨てることができる。排泄がすんだならば、上記したようにして容器本体を閉じ、レバーおよびハンドルを容器本体に密接させた状態に戻して糞を持ち帰る。
【００１７】
上述のように、本発明の容器は、使用に先立って内部に紙を敷いておくと好都合であるが、紙が風で吹き飛ばされたりしないように、粘着剤を利用して、容器本体の内側に一時的に取り付けるとよい。粘着剤は、容器本体の内側に塗っておいてもよいし、紙の裏側に塗っておいてもよい。後者の場合、適切な位置に粘着剤を適用しておくことにより、糞を包んだ紙をまとめて取り扱うことが容易になるので、好都合である。
【産業上の利用可能性】
【００１８】
以上の説明は、もっぱら本発明の容器の代表的な用途である犬の糞を収容する場合について行ったが、容易に理解されるように、糞だけでなく尿を撒き散らさないことを意図する場合にも、この容器は使用できる。その場合は、糞を包む紙に代えて、液体を吸収して保持することのできるもの、たとえば吸水性ポリマーを含んだ紙を使用するなどの態様が適切である。
【図面の簡単な説明】
【００１９】
【図１】本発明のペットの排泄物を収容する容器を閉じて、携帯に便な状態にしたところを示す側面図。
【図２】図１に示した容器の、Ａ方向の矢視図。
【図３】図１に示した容器の、Ｂ方向の矢視図。
【図４】図１に示した容器の、一部を切り欠いて内部の構造を示した拡大図。
【図５】図１の容器を開く途中のようすを示す、図１に対応する側面図。
【図６】図５のＡ方向の矢視図。
【図７】図１の容器を完全に開いて使用するところを示す、図１に対応するが、一部で切断し、ずらして表示した側面図。
【図８】図７に示した、開いた容器の平面図。
【図９】図７の左方向から見た図であるが、容器本体を横断する面とともに紙を置いたようすを示す図。
【符号の説明】
【００２０】
１  底部部材
１１  ヒンジ
１２  ねじりバネ
２Ａ，２Ｂ  側壁部材
２２Ａ，２２Ｂ  容器フック
２３Ａ，２３Ｂ  パッキン
３  丁番
４  レバー
４１  ストッパー
５  丁番（ラチェット機構）
５１  ストッパーピン
６  ハンドル
６１  ストッパーガイド
６２  ハンドルフック
７  押しボタン
７１  スプリング
８  連結バー
９  紙
【図１】
2005087086.tif 000003
【図２】
2005087086.tif 000004
【図３】
2005087086.tif 000005
【図４】
2005087086.tif 000006
【図５】
2005087086.tif 000007
【図６】
2005087086.tif 000008
【図７】
2005087086.tif 000009
【図８】
2005087086.tif 000010
【図９】
2005087086.tif 000011